(57)【要約】【課題】大きさの異なる果実が絞れ、手で抑えるのが容易で、絞った果汁を移し替える必要のない果汁絞り器を提供する。【解決手段】果実を絞る絞り器１の下に絞った果汁を貯溜するカップ２を置き、果実のサイズに合わせてレモンなどの比較的小さな果実を絞る絞り部３と、グレープフルーツなどの大きな果実を絞る補助絞り部４の２種類を用意する。絞り部３は絞り器１本体に突設し、補助絞り部４は絞り部３にキャップ状に被せて使用する。絞り器１は、おわん型の皿５の内側を凹陥して断面六角形の深底部６を形成し、その中心を傘型に突起して絞り部３を形成する。絞り部３の外周には、放射状の切り込み９を巡らせて水切りを形成する。深底部６は、同じく断面六角形に形成したカップ２の口に挿入して絞り器１とカップ２を上下に連結する。【選択図】　　　図１
0003097210.tif 000002
【実用新案登録請求の範囲】
【請求項１】
果実の切断面を押し回して果汁を絞るための絞り部を皿の深底部の中心に有する皿状の絞り器において、
この深底部とカップの断面形状を同一の多角形に形成すると共に、
この深底部内の周囲に絞った果汁を下に流す水切り孔を設け、
この深底部の外周側面とカップの内周側面を嵌め合わせて前記絞り器とカップを上下に連結することを特徴とする果汁絞り器付きカップ。
【請求項２】
前記絞り部より大きな補助絞り部を別に設け、
この補助絞り部の底辺に前記多角形の各角に対応する鍵爪を突設し、
この鍵爪を前記深底部の内角に嵌め合わせてこの補助絞り部を前記絞り部をカバーするように着脱自在に係合することを特徴とする請求項１に記載の果汁絞り器付きカップ。
【請求項３】
前記多角形を六角形とする請求項１あるいは２に記載の果汁絞り器付きカップ。
【考案の詳細な説明】
【０００１】
【考案の属する技術分野】
本考案は、レモン、オレンジ、ネーブル、クレープフルーツ、夏みかんなどのかんきつ類の切断面を絞り器の中心に突起する絞り部に押し回して果汁を絞る果汁絞り器を有するカップに関する。
【０００２】
【考案が解決しようとする課題】
果汁絞り器は、生のオレンジジュースやグレープフルーツジュースを手軽に作れる便利な器具であるが、従来の絞り器は１種類の大きさの絞り部しか付いてないので、レモンやグレープフルーツなどのように大きさの異なる果実を同じ絞り器で絞ることができなかった。
また、絞った後に、カップ、グラス等の容器に移し替える必要があった。さらにまた、一度に少ししか絞ることができず、大量に絞る場合は絞った果汁を何回も容器に移し替えねばならなかった。
さらにまた、果実を押し回すときに絞り器も一緒に回転してしまうので、手で抑えてなければなかった。
【０００３】
そこで本考案は、大きさの異なる果実が絞れ、また絞り器を手で抑える必要なく、そしてまた絞った果汁を移し替える必要のない果汁絞り器を提供することを目的になされたものである。
【０００４】
【課題を解決するための手段】
かかる目的を達成するために、本考案は以下のように構成した。
すなわち、本考案の果汁絞り器は、果実の切断面を押し回して果汁を絞るための絞り部を深底部の中心に有する皿状の絞り器において、この深底部とカップの断面形状を同一の多角形に形成すると共に、この深底部内の周囲に絞った果汁を下方に流す水切り孔を設け、この深底部の外周側面とカップの内周側面を嵌め合わせて前記絞り器とカップを回転不能に上下に連結することにより上記目的が達成される。
【０００５】
また、本考案の果汁絞り器は、前記絞り部より大きな補助絞り部を別に設け、この補助絞り部の底辺に前記多角形の各角に対応する鍵爪を突設し、この鍵爪を前記深底部の内角に係合させ前記絞り部の上方に着脱自在に被せることにより上記目的が達成される。
また、好ましくは、前記多角形を六角形とした。
【０００６】
【考案の実施の形態】
以下に図面に示す本考案の実施の形態について説明する。
図１に本考案を実施した果汁絞り器付きカップの縦断面図を示す。
果汁絞り器付きカップは、果実を絞る絞り器１の下方に絞った果汁が貯溜されるカップ２を嵌合してあり、また絞り部を果実のサイズに合わせてレモンなどの比較的小さな果実を絞る絞り部３と、グレープフルーツなどの大きな果実を絞る補助絞り部４の２種類を用意した。
絞り部３は絞り器１本体の中央に突設し、補助絞り部４は絞り部３をカバーするようにキャップ状に係合させて使用する。
大きい方の補助絞り部４は、小さい方の絞り部３の上に限らず、裏側に突設させて形成しておき、使用時に絞り器１を裏返して大きさを切換えるようにしてもよい。
【０００７】
図２（ａ）（ｂ）に、本考案を実施した絞り器の平面図とそのＡＢ線断面を示す。
絞り器１は、おわん型の皿５の中央を凹陥させて断面六角形の深底部６を形成し、その中心に傘型に突起した絞り部３を形成してある。
絞り部３の下方には、ハッチを付して図示してある放射状の切り込み孔９を巡らせた水切りを垂設してある。
水切り孔は、深底部６を多孔板で形成したり、網目状に編んで形成するものであってもよい。
【０００８】
深底部６は、同じく断面六角形に形成したカップ２の口に嵌合して絞り器１とカップ２を上下に連結する。
これにより、絞り器１とカップ２が固定され、カップ２を手で抑えることで絞り器１の回転も阻止できる。
【０００９】
図３（ａ）（ｂ）に、大きい果実に適用する補助絞り部の平面と縦断面を示す。
補助絞り部４には、下端に６つの鍵爪７を突設し、これらの鍵爪７を六角形の深底部６の内角部に挿入して絞り部３の上方に被せる。
この時補助絞り部の底と絞り器１との間に絞り汁の流路を確保する。この流路としては、図４（ａ）に示すように、補助絞り部４の絞り面８の凹部１０を皿５の深底部６の周縁１１より小径にしてその間に流路１２を形成したり、図４（ｂ）に示すように、補助絞り部４の下端に突設した鍵爪７の長さを、深底部６の深さより長くし皿５と補助絞り部４の下端１３との間に隙間を形成して流路１２とすると良い。
【００１０】
補助絞り部４と絞り器１とは、６つの鍵爪７と六角形の深底部６の内角が嵌り合って結合する。
そのため、補助絞り部４の取り付けと取り外しは自由にできるが、補助絞り部４を回すと絞り器１が連れ回りするので、カップ２を手で握ると絞り器１の回転、ひいては補助絞り部４の回転が阻止される。
【００１１】
補助絞り部４は、鍵爪７を深底部６の内角に嵌め合わせる以外に、補助絞り部４の内側に小さい方の絞り部３を挿嵌して両者を一体に結合させてもよい。
また、カップ２と深底部６および補助絞り部４の下端の形状は、同一角数であれば六角形に限定されず、四角形、五角形、八角形などどのような多角形でも良い。
絞り器とカップの結合の手段は多角形を嵌め合わせる以外に、合わせ面に各種のキー溝を設けて嵌め合わせる形式も可能である。
【００１２】
本考案を実施した果汁絞り器は、以上のような構成で、絞り器１の下方にカップ２を置き、小さな材料のときは補助絞り部４を取り外してその下の絞り部３を露出し、大きな材料のときは絞り部３の上方に補助絞り部４を被せて使用する。果汁を絞る時は、片方の手でカップ２を押さえ、もう一方の手で絞り部３または補助絞り部４のいずれかで切断した果実を押し回して行う。
このとき、果実の押し回しと一緒に絞り器１も回転しようとするが、手で固定したカップ２に抑えられて回転が阻止される。
絞られた果汁は、皿５で受けられ、深底部６の切り込み孔９を通り下方に置いたカップ２に自然に流下するので、果汁を移し替える必要がない。
【００１３】
【考案の効果】
以上説明したように、本考案によれば、絞り部の上方にそれより大きな補助絞り部を重ねて２種類の大きさの果実に対応できるので、大きさの異なるレモンやグレープフルーツを同一の絞り器で絞れる。
また、多角形の外周側面と内周側面を嵌め合わせて補助絞り部と絞り器およびカップの３つを一体に連れ回りさせるので、手でカップのみを押さえるだけで簡単に絞り器の回転を止めることができる。
また、絞り器の深底部に水切り孔を設け、下方にカップを結合してあるので、絞った果汁はそのまま流下するので、果汁を少しずつ絞って何回も他の容器に移し替える手間が掛からない。
【図面の簡単な説明】
【図１】本考案を実施した果汁絞り器の縦断面図
【図２】本考案を実施した絞り器の平面図（ａ）とそのＡＢ断面図（ｂ）
【図３】本考案を実施した補助絞り部の平面図（ａ）と縦断面図（ｂ）
【図４】補助絞り部を絞り器に被せた状態の平面図（ａ）と断面図（ｂ）
【符号の説明】
１　　　　絞り器
２　　　　カップ
３　　　　絞り部
４　　　　補助絞り部
５　　　　皿
６　　　　深底部
７　　　　鍵爪
８　　　　絞り面
９　　　　切り込み孔
１０　　　凹部
１２　　　流路
【図１】
0003097210.tif 000003
【図２】
0003097210.tif 000004
【図３】
0003097210.tif 000005
【図４】
0003097210.tif 000006